(57)【特許請求の範囲】
【請求項１】
装置の入力ポートに接続された１個の入力ポートとＬ個の出力ポートを備える光分流手段をＮ組備え、
Ｍ個の入力ポートと１個の出力ポートを有し、入力された波長多重信号のうち所望のポートの所望の波長の信号を空間光学回路を経由して装置の出力ポートに結合させる光スイッチ手段からなる波長選択スイッチ手段をＮ組備え、
各光分流手段の出力ポートは、それぞれ異なる波長選択スイッチ手段の入力ポートに接続されるか、直接装置の出力ポートとされ、
各波長選択スイッチ手段の入力ポートは、それぞれ異なる光分流手段の出力ポートに接続されるか、直接装置の入力ポートとされるか、装置内で終端され、
光分流手段と波長選択スイッチ手段の入出力ポートが同一平面上の単一の平面光波回路として集積されている構造を有し、
前記Ｎ組の波長選択スイッチ手段の出力ポートが隣接して配置される構造を有し、
前記Ｎ組の前記波長選択スイッチ手段は、おのおの光分流手段に接続されたＭ組のＳＢＴ（Ｓｐａｔｉａｌ  Ｂｅａｍ  Ｔｒａｎｓｆｏｒｍｅｒ）回路、および装置の出力ポートに接続された１つのＳＢＴ回路を含み、
前記Ｎ組の波長選択スイッチ手段のそれぞれのｉ番目（１≦ｉ≦Ｍ）の入力ポートが隣接して配置されて前記Ｍ組のＳＢＴ回路の１つに接続されており、
前記Ｎ組の波長選択スイッチ手段の出力ポートが前記１つのＳＢＴ回路に接続されており、
前記入力ポートおよび前記出力ポートのうち、ＳＢＴ回路から空間に対して所定の角度でビームを出射する、または空間からＳＢＴ回路にビームが入射するポート群によって１つの前記波長選択スイッチ手段が構成される
ことを特徴とする光クロスコネクト装置。
【請求項２】
請求項１記載の前記光クロスコネクト装置において、
前記光分流手段は、Ｙ分岐の光スプリッタ、方向性結合器、ＭＭＩスプリッタのいずれかからなることを特徴とする光クロスコネクト装置。
【請求項３】
請求項１記載の光クロスコネクト装置において、
前記Ｎ組の波長選択スイッチ手段を構成する光スイッチ手段は、空間光学回路側に設けられた単一の光スイッチ素子を含んで構成されることを特徴とする
光クロスコネクト装置。
【請求項４】
装置の入力ポートに接続された１個の入力ポートとＬ個の出力ポートを備える光分流手段をＮ組備え、
Ｍ個の入力ポートと１個の出力ポートを有し、入力された波長多重信号のうち所望のポートの所望の波長の信号を空間光学回路を経由して装置の出力ポートに結合させる光スイッチ手段からなる波長選択スイッチ手段をＮ組備え、
各光分流手段の出力ポートは、それぞれ異なる波長選択スイッチ手段の入力ポートに接続されるか、直接装置の出力ポートとされ、
各波長選択スイッチ手段の入力ポートは、それぞれ異なる光分流手段の出力ポートに接続されるか、直接装置の入力ポートとされるか、装置内で終端され、
光分流手段と波長選択スイッチ手段の入出力ポートが同一平面上の単一の平面光波回路として集積されている構造を有し、
前記光分流手段の分流比は、前記波長選択スイッチ手段のそれぞれが有する平均損失を相殺し、
前記光分流手段の入力ポートから、前記波長選択スイッチ手段の出力ポートに至る経路の損失を平均化できるように分流比が設定されていることを特徴とする
光クロスコネクト装置。
【請求項５】
装置の入力ポートに接続された１個の入力ポートとＬ個の出力ポートを備える光分流手段をＮ組備え、
Ｍ個の入力ポートと１個の出力ポートを有し、入力された波長多重信号のうち所望のポートの所望の波長の信号を空間光学回路を経由して装置の出力ポートに結合させる光スイッチ手段からなる波長選択スイッチ手段をＮ組備え、
各光分流手段の出力ポートは、それぞれ異なる波長選択スイッチ手段の入力ポートに接続されるか、直接装置の出力ポートとされ、
各波長選択スイッチ手段の入力ポートは、それぞれ異なる光分流手段の出力ポートに接続されるか、直接装置の入力ポートとされるか、装置内で終端され、
光分流手段と波長選択スイッチ手段の入出力ポートが同一平面上の単一の平面光波回路として集積されている構造を有し、
前記光分流手段は光減衰機能も備え、
前記光分流手段の光減衰量は、前記波長選択スイッチ手段における挿入損失の入力ポート依存性を相殺し、
前記光分流手段の入力ポートから、前記波長選択スイッチ手段の出力ポートに至る経路の損失を平均化できるように光減衰量が設定されていることを特徴とする
光クロスコネクト装置。
【発明の詳細な説明】
【技術分野】
【０００１】
本発明は、光通信ネットワークに用いられる光クロスコネクト装置に関するものである。
【背景技術】
【０００２】
インターネットの普及に伴い、データ通信ネットワークに対する需要が爆発的に伸びており、これを支える光通信ネットワークに対する大容量化と柔軟なカスタマイズ機能の要求がますます大きくなっている。このような光通信ネットワークに対する要求に対し、大容量化の観点では波長多重(ＷＤＭ： Wavelength Division Multiplexing)通信が実用化されており、柔軟なカスタマイズ機能の観点ではＷＤＭ化された信号波長ごとに方路を選択するスイッチング機能を備える１入力Ｎ出力(あるいはＮ入力１出力)波長選択スイッチ(ＷＳＳ: Wavelength Selective Switch)が開発され、ＷＳＳを活用した光クロスコネクト(ＯＸＣ: Optical Cross Connect)装置が導入されつつある。
【先行技術文献】
【非特許文献】
【０００３】
【非特許文献１】B. Collings, “New devices enabling software-defined optical networks,” IEEE Communications Magazine, Volume 51, Issue 3, pp 66-71 (2013).
【非特許文献２】K. Seno, K. Suzuki, N. Ooba, T. Watanabe, M. Itoh, T. Sakamoto, T. Takahashi, “Spatial beam transformer for wavelength selective switch consisting of silica-based planar lightwave circuit,” Proceedings of OFC/NFOEC 2012, JTh2A.5
【発明の概要】
【発明が解決しようとする課題】
【０００４】
導入されつつある光クロスコネクト装置においては、一般にブロードキャスト＆セレクト型と呼ばれる構成が採用されている。当該の典型的な構成は、Ｎ個の１入力Ｎ出力の光スプリッタと、Ｎ個のＮ入力１出力ＷＳＳとを編込んで接続する構成である（非特許文献１）。
【０００５】
一般に通信装置は、局舎内での占有容積を削減することで、設置コストを低減することが求められるが、既存のブロードキャスト＆セレクト型の光クロスコネクト装置では、Ｎ個のＷＳＳモジュールが必要となるため、少なくともＷＳＳ  Ｎ台分のサイズ（容積）を占有せざるを得ず、このサイズ(容積)が制限要因となって小型化できないという課題があった。
【課題を解決するための手段】
【０００６】
本発明は上記の課題を解決するものであり、従来の光クロスコネクト装置ではＮ個のＷＳＳモジュールで構成されていた回路を１つの（ＷＳＳモジュールの大きさとほとんど変わらない）モジュールで構成し、サイズを約１／Ｎに小さくすることによって、従来と比較して抜本的な小型化を実現可能な以下のような光クロスコネクト装置を提供するものである。すなわち、
【０００７】
（発明の構成１）
装置の入力ポートに接続された１個の入力ポートとＬ個の出力ポートを備える光分流手段をＮ組備え、
Ｍ個の入力ポートと１個の出力ポートを有し、入力された波長多重信号のうち所望のポートの所望の波長の信号を空間光学回路を経由して装置の出力ポートに結合させる光スイッチ手段からなる波長選択スイッチ手段をＮ組備え、
各光分流手段の出力ポートは、それぞれ異なる波長選択スイッチ手段の入力ポートに接続されるか、直接装置の出力ポートとされ、
各波長選択スイッチ手段の入力ポートは、それぞれ異なる光分流手段の出力ポートに接続されるか、直接装置の入力ポートとされるか、装置内で終端され、
光分流手段と波長選択スイッチ手段の入出力ポートが同一平面上の単一の平面光波回路として集積されている構造を有し、
前記Ｎ組の波長選択スイッチ手段の出力ポートが隣接して配置される構造を有し、
前記Ｎ組の前記波長選択スイッチ手段は、おのおの光分流手段に接続されたＭ組のＳＢＴ（Ｓｐａｔｉａｌ  Ｂｅａｍ  Ｔｒａｎｓｆｏｒｍｅｒ）回路、および装置の出力ポートに接続された１つのＳＢＴ回路を含み、
前記Ｎ組の波長選択スイッチ手段のそれぞれのｉ番目（１≦ｉ≦Ｍ）の入力ポートが隣接して配置されて前記Ｍ組のＳＢＴ回路の１つに接続されており、
前記Ｎ組の波長選択スイッチ手段の出力ポートが前記１つのＳＢＴ回路に接続されており、
前記入力ポートおよび前記出力ポートのうち、ＳＢＴ回路から空間に対して所定の角度でビームを出射する、または空間からＳＢＴ回路にビームが入射するポート群によって１つの前記波長選択スイッチ手段が構成される
ことを特徴とする光クロスコネクト装置。
【０００９】
（発明の構成２）
発明の構成１記載の前記光クロスコネクト装置において、
前記光分流手段は、Ｙ分岐の光スプリッタ、方向性結合器、ＭＭＩスプリッタのいずれかからなることを特徴とする光クロスコネクト装置。
【００１１】
（発明の構成３）
発明の構成１記載の光クロスコネクト装置において、
前記Ｎ組の波長選択スイッチ手段を構成する光スイッチ手段は、空間光学回路側に設けられた単一の光スイッチ素子を含んで構成されることを特徴とする光クロスコネクト装置。
【００１２】
（発明の構成４）
装置の入力ポートに接続された１個の入力ポートとＬ個の出力ポートを備える光分流手段をＮ組備え、
Ｍ個の入力ポートと１個の出力ポートを有し、入力された波長多重信号のうち所望のポートの所望の波長の信号を空間光学回路を経由して装置の出力ポートに結合させる光スイッチ手段からなる波長選択スイッチ手段をＮ組備え、
各光分流手段の出力ポートは、それぞれ異なる波長選択スイッチ手段の入力ポートに接続されるか、直接装置の出力ポートとされ、
各波長選択スイッチ手段の入力ポートは、それぞれ異なる光分流手段の出力ポートに接続されるか、直接装置の入力ポートとされるか、装置内で終端され、
光分流手段と波長選択スイッチ手段の入出力ポートが同一平面上の単一の平面光波回路として集積されている構造を有し、
前記光分流手段の分流比は、前記波長選択スイッチ手段のそれぞれが有する平均損失を相殺し、
前記光分流手段の入力ポートから、前記波長選択スイッチ手段の出力ポートに至る経路の損失を平均化できるように分流比が設定されていることを特徴とする光クロスコネクト装置。
【００１３】
（発明の構成５）
装置の入力ポートに接続された１個の入力ポートとＬ個の出力ポートを備える光分流手段をＮ組備え、
Ｍ個の入力ポートと１個の出力ポートを有し、入力された波長多重信号のうち所望のポートの所望の波長の信号を空間光学回路を経由して装置の出力ポートに結合させる光スイッチ手段からなる波長選択スイッチ手段をＮ組備え、
各光分流手段の出力ポートは、それぞれ異なる波長選択スイッチ手段の入力ポートに接続されるか、直接装置の出力ポートとされ、
各波長選択スイッチ手段の入力ポートは、それぞれ異なる光分流手段の出力ポートに接続されるか、直接装置の入力ポートとされるか、装置内で終端され、
光分流手段と波長選択スイッチ手段の入出力ポートが同一平面上の単一の平面光波回路として集積されている構造を有し、
前記光分流手段は光減衰機能も備え、
前記光分流手段の光減衰量は、前記波長選択スイッチ手段における挿入損失の入力ポート依存性を相殺し、
前記光分流手段の入力ポートから、前記波長選択スイッチ手段の出力ポートに至る経路の損失を平均化できるように光減衰量が設定されていることを特徴とする光クロスコネクト装置。
【図面の簡単な説明】
【００１４】
【図１】本発明の実施の形態１の光クロスコネクト装置を示す図である。
【図２】本発明の実施の形態２の光クロスコネクト装置を示す図である。
【図３】本発明の実施の形態３の光クロスコネクト装置を示す図である。
【図４】本発明の実施の形態４の光クロスコネクト装置における、ＳＢＴ回路の挿入損失と光分流手段の分岐損失のポート依存性関係を示す図である。
【図５】本発明の実施の形態５の光クロスコネクト装置における、光分流手段の光減衰量と波長選択スイッチ手段の挿入損失のＳＢＴ回路依存性の関係を示す図である。
【図６】ＳＢＴ（Spatial Beam Transformer）回路の概略の構成を示す図である。
【発明を実施するための形態】
【００１５】
［実施の形態１］
本実施の形態１では、本発明の光クロスコネクト装置の一例を開示する。図１はその光学系の概要を示すものである。以下、図を持って本発明を説明する際に、同一の構成要素は同一の番号をもって記述する。
【００１６】
本実施の形態では、光分流手段の出力ポート数をＬ、波長選択スイッチ手段の入力ポート数をＭ、光分流手段および波長選択スイッチ手段の数をＮ組とし、全体でＮ入力Ｎ出力の光クロスコネクト装置（Ｌ＝Ｍ＝Ｎ）を構成する例として、Ｌ＝４、Ｍ＝４、Ｎ＝４の場合を例に説明するが、入出力ポート等の数はこの例に限らないことは明らかである。
【００１７】
図１において、Ｉｎ１からＩｎ４と記載された４つ（Ｎ＝４）の光クロスコネクト装置の入力ポートから入力された光信号は平面光波回路（ＰＬＣ：Planar Light wave Circuit）に入力される。平面光波回路内には、入力ポート毎に１入力４出力（Ｌ＝４）の光分流手段１０１−１〜１０１−４が設けられており、入力信号を４つの出力ポートに分岐して出力する。光分流手段としては、Ｙ分岐の光スプリッタ、方向性結合器、ＭＭＩスプリッタ等を用いることができる。
【００１８】
光分流手段から出力された信号は、同じ平面光波回路内に形成されたＳＢＴ（Spatial Beam Transformer）回路１０２−１〜１０２−４に入力される。ＳＢＴ回路について、例えば、前記非特許文献２に示されている。
【００１９】
図６にその概略の構成を示すが、ＳＢＴ回路はスラブ導波路およびアレイ導波路から構成される光回路であり、その設計により、平面光波回路側（図６左側）の所定の導波路から入力された光信号（図６左側の矢印実線）を、所定の角度で平面光波回路の出力端から空間光学回路側に出射する（図６右側の矢印実線）機能を有する。
【００２０】
また逆に、空間光学回路側（図６右側）から平面光波回路に所定の角度で入力された光信号（図６右側の矢印点線）を、平面光波回路側の所定の導波路に出力する（図６左側の矢印点線）機能も有する。
【００２１】
ＳＢＴ回路１０２を使うことにより、各光分流手段が分離されていて、光分流手段間で導波路の交差が無い回路構成とすることができる。
【００２２】
ここでＳＢＴ回路１０２の数は、波長選択スイッチ手段の入力ポート数と等しい４個（Ｍ＝４）である。各ＳＢＴ回路は波長選択スイッチ手段と同数の４本（Ｎ＝４）の光導波路を収容し、それぞれから入力された光信号を空間光学回路の異なる方向に出射する。
【００２３】
ＳＢＴ回路から空間光学回路に出射された光信号は、回折格子１０４、レンズ１０５等からなる空間光学回路を経由して、光スイッチ素子１０６（例えばＬＣＯＳ：Liquid Crystal On Silicon）上に到達する。ここで、４つのＳＢＴ回路それぞれのｊ番目（１≦ｊ≦Ｎ（＝４））の入力導波路に入力された同一波長の光信号が、光スイッチ素子の同一地点に照射されるよう、光学系を設計するものとする。
【００２４】
光スイッチ素子１０６は、素子上の地点ごとに光信号の反射方向を設定する機能を有し、４つのＳＢＴ回路１０２−１〜４それぞれのｊ番目の入力導波路に入力された各波長の光信号のうちのいずれかが、光スイッチ素子１０６で反射され、レンズ１０５、回折格子１０４等からなる空間光学回路を経由して、ＳＢＴ回路１０３（ＳＢＴ回路１０２と同一の構造を有し、光信号は逆方向に伝播する）に入力され、そのｊ番目の出力導波路から光クロスコネクト装置の出力として出力ポートＯｕｔ１〜４へ出力されるように設定する。
【００２５】
この時、４つのＳＢＴ回路１０２それぞれのｊ番目の入力導波路と、ＳＢＴ回路１０３のｊ番目の出力導波路との間で得られる機能は、入力された波長多重信号のうち所望のポートの所望の波長の信号を出力ポートから出力する、４入力１出力の光スイッチ手段からなる波長選択スイッチ手段の機能となっており、全体として当該の波長選択スイッチ手段が４つ集積されている構成となっている点に注目されたい。
【００２６】
ＳＢＴ回路１０３の４本の出力導波路は、そのまま装置の出力ポートとなり、図１においてＯｕｔ１からＯｕｔ４と記載された出力ポートとして使用される。本実施形態の構成では、出力ポートにつながる導波路にも交差がない点に注目されたい。
【００２７】
以上で示した実施の形態１により、ブロードキャスト＆セレクト型と呼ばれる光クロスコネクト装置の空間光学系以外の部分を同一平面上の単一の平面光波回路として集積された１つのデバイスとして、従来と比較して大幅に小型に製造することが可能となる。
【００２８】
［実施の形態２］
本実施の形態２では、本発明の光クロスコネクト装置の異なる一例を開示する。図２はその光学系の概要を示すものである。本実施の形態では、光分流手段の出力ポート数をＬ、波長選択スイッチ手段の入力ポート数をＭ、光分流手段および波長選択スイッチ手段の数をＮ組とし、全体でＮ入力Ｎ出力の光クロスコネクト装置（Ｌ＝Ｍ＞Ｎ）を構成する例として、Ｌ＝５、Ｍ＝５、Ｎ＝４の場合を例に説明するが、入出力ポート等の数はこの例に限らないことは明らかである。
【００２９】
図２に示す光学系は、図１と比較して以下の点が異なる。
【００３０】
光分流手段１０１−１〜１０１−４の出力ポート数が、４から５に変化している。増加した光分流手段１０１の出力ポートは、直接装置の出力ポートとして取り出される。取り出された出力ポートは、Ｄｒｏｐ１〜Ｄｒｏｐ４と呼ぶこととする。
【００３１】
ＳＢＴ回路１０２の数が４から５に変化している。これは、波長選択スイッチ手段の入力ポート数が、４から５に変化したことを意味している。増加した波長選択スイッチ手段の入力ポートは、直接装置の入力ポートとして取り出され、Ａｄｄ１〜Ａｄｄ４と呼ぶことにする。
【００３２】
本構成では、ＡｄｄポートおよびＤｒｏｐポートの先に波長合分波回路を接続し、トランスポンダを設置することで、光信号の始点・終点機能を設けることができる。
【００３３】
［実施の形態３］
本実施の形態３では、本発明の光クロスコネクト装置の異なる一例を開示する。図３はその光学系の概要を示すものである。本実施の形態では、光分流手段の出力ポート数をＬ、波長選択スイッチ手段の入力ポート数をＭ、光分流手段および波長選択スイッチ手段の数をＮ組とし、全体でＮ入力Ｎ出力の光クロスコネクト装置（Ｌ≧Ｎ、Ｍ＞Ｎ）を構成する例として、Ｌ＝４、Ｍ＝５、Ｎ＝４の場合を例に説明するが、入出力ポート等の数はこの例に限らないことは明らかである。
【００３４】
図３に示す光学系は、図２と比較して以下の点が異なる。
【００３５】
光分流手段１０１−１〜１０１−４の出力ポート数が、５から４に変化している。減少した光分流手段１０１の出力ポートは、以下の方針で削減されている。
「ｋ番目（１≦ｋ≦Ｎ）の光分流手段１０１−ｋの出力ポートのうち、ＳＢＴ回路１０２−ｋのｋ番目の入力導波路に接続されていたものを削除する。」
これに連動して、ＳＢＴ回路１０２−ｋのｋ番目の入力導波路は、平面光波回路内で終端される。
【００３６】
本構成は、光クロスコネクト装置が入出力ポート対を１組として使用される点に着目しており、ある方向の伝送路から入力された光信号が、光クロスコネクト装置内で折り返され、当該方向の伝送路に出力されるような使われ方がされないことを前提に、折り返し経路に相当する接続を削減したものである。
【００３７】
本構成を適用することで、ポート数に比例して増加する光分流手段の損失を、１ポート分削減することができる。例えば、実施の形態２の場合、１入力５出力の光分流手段を適用するため、出力光レベルは入力光レベルに対して最大でも20%(=1/5)であり、80%の損失が生じる。
これに対し、実施の形態３の場合、１入力４出力の光分流手段を適用するため、出力光レベルは入力光レベルに対して最大で25%(=1/4)となり、75%の損失となるので、実施の形態２と比較して5%の損失低減が見込める。
【００３８】
[実施の形態４］
本実施の形態４では、本発明の光クロスコネクト装置における光分流手段の設計例を開示する。その装置構成は実施の形態１〜３で開示した構成のいずれに対しても適用可能であるが、本実施の形態では、実施の形態１と同一の装置構成を例に説明する。同様の設計が、実施の形態２および３においても適用可能であることは、明らかである。
【００３９】
実施の形態１に示す光学系において、ＳＢＴ回路１０２−１〜４および１０３は、例えば図６に示すように、その動作原理に光の回折現象を用いているため、ＳＢＴ回路から見た直進方向から、斜めに光の出射角度がずれるに従って回折効率が低下、即ち挿入損失が増加する。
【００４０】
具体的には、図４の●に示すように、各ＳＢＴ回路１０２−１〜４および１０３の平面光波回路側の入力ポートを順にポート１からポート４とするときに、外側のポート１および４から空間光学回路側の所定の方向に出射される信号光は、内側のポート２および３からのものと比較してレベルが低い（挿入損失が大きい）傾向がある。
【００４１】
この現象に対し、本実施の形態４では、光分流手段１０１のポート別の分流比（分岐損失）に違いを設けるため、例えば光分流手段の分岐部における相互作用長をポートごとの分流比にしたがって適切に設計することで、ＳＢＴ回路で生じる上記のポート別の挿入損失の差を光分流手段のポート別の分岐損失の差で相殺し、光分流手段の入力ポートから波長選択スイッチ手段の出力ポートに至る経路で生じる損失を均一化、平均化する。
【００４２】
図４に示すように、例えば、各ＳＢＴ回路１０２−１〜４および１０３において、平均的にポート１で生じる損失がポート２で生じる損失よりΔ（ｄＢ）大きい場合、光クロスコネクト装置全体ではＳＢＴ回路を２回通過することから、光分流手段１０１−１〜４において、ポート１に繋がる経路の分岐損失をポート２に繋がる経路の分岐損失より２Δ（ｄＢ）小さくなるように設計する。ポート３あるいはポート４に繋がる経路の分岐損失についても、同様に設計する。
【００４３】
このように光分流手段におけるポート別の分流比率（分岐損失）に対して、波長選択スイッチ手段のそれぞれの平均損失を考慮した設計を適用することにより、ＳＢＴ回路から大きな回折角度で出射される経路の損失を減らしながら、損失が均一な光クロスコネクト装置を得ることができる。また、ＳＢＴ回路の回折角以外の要因であっても、波長選択スイッチ手段ごとに異なる損失は、同様の考え方で相殺して損失を均一化できる。
【００４４】
［実施の形態５］
本実施の形態５では、本発明の光クロスコネクト装置における光分流手段の別の設計例を開示する。その装置構成は実施の形態１〜４で開示した構成のいずれに対しても適用可能であるが、本実施の形態では、実施の形態１と同一の装置構成を例に説明する。同様の設計が、実施の形態２から４においても適用可能であることは、明らかである。
【００４５】
実施の形態１に示す光学系において、光スイッチ素子１０６は、素子上の地点ごとに光信号の反射方向を設定する機能を有するが、同機能の実現に光の回折現象を用いる場合、偏向角（即ち、光スイッチ素子を鏡面と考えた場合の反射角と実際の出射角のズレ）が大きくなるにしたがって、スイッチ効率が低下、即ち挿入損失が増加する。
【００４６】
具体的には、図５の●に示すように、波長選択スイッチ手段の挿入損失は、偏向角の大きいＳＢＴ回路１０２−１および４を経由する経路で、偏向角の小さいＳＢＴ回路１０２−２および３を経由する経路と比較して大きくなる傾向がある。
【００４７】
この現象に対し、本実施の形態５では、各光分流手段１０１に、対応するＳＢＴ回路ごとに異なる適切な減衰率を与えるため、例えば同一の比率で光分流手段の全てのポートの光信号を分岐し、平面光波回路内に拡散させる光減衰機能（光分流手段自体と同一の構造を適用できる）を設けることで、波長選択スイッチ手段で生じるＳＢＴ回路単位の損失の差を相殺し、光分流手段の入力ポートから波長選択スイッチ手段の出力ポートに至る経路で生じる損失を均一化、平均化する。
【００４８】
前述の本実施の形態４では光分流手段の分流比率（分岐損失）をポート毎に調整したが、これに加えて、本実施の形態５の光減衰機能によりＳＢＴ回路単位で調整することもできるのは明らかである。
【００４９】
図５に示すように、例えば、波長選択スイッチ手段において、平均的にＳＢＴ回路１０２−１を経由する経路で生じる損失がＳＢＴ回路１０２−２を経由する経路で生じる損失よりΔ（ｄＢ）大きい場合、別に設ける光減衰手段によって、光分流手段１０１−２の平均損失を光分流手段１０１−１の平均損失よりΔ（ｄＢ）大きくなるように設定する。光分流手段１０１−３あるいは１０１−４の平均損失についても、同様に設定する。
【００５０】
このように光分流手段の平均損失を設定することで、波長選択スイッチ手段で生じるＳＢＴ回路単位の損失の差を光減衰手段によって相殺して、損失が均一な光クロスコネクト装置を得ることができる。また、光スイッチ素子の偏向角以外の要因であっても、波長選択スイッチ手段のポートごとに異なる損失は、同様の考え方で相殺して損失を均一化できる。
【産業上の利用可能性】
【００５１】
以上述べた構成により本発明は、ブロードキャスト＆セレクト型光クロスコネクト装置において、従来と比較して抜本的な小型化を実現可能な光クロスコネクト装置を提供するものであり、光通信装置の局舎内での占有容積を削減することで、設置コストを大幅に低減することを可能とするものである。
【符号の説明】
【００５２】
Ｉｎ１〜４：入力ポート
Ｏｕｔ１〜４：出力ポート
Ａｄｄ１〜４：Ａｄｄポート
Ｄｒｏｐ１〜４：Ｄｒｏｐポート
１０１−１〜４：光分流手段
１０２−１〜５、１０３：ＳＢＴ回路
１０４：回折格子
１０５：レンズ
１０６：光スイッチ素子
【図１】
0006491563.tif 000002
【図２】
0006491563.tif 000003
【図３】
0006491563.tif 000004
【図４】
0006491563.tif 000005
【図５】
0006491563.tif 000006
【図６】
0006491563.tif 000007